(57)【特許請求の範囲】
【請求項１】
メール着信または電話着信時に音または振動で報知する音振動出力手段と、
メール着信または電話着信時にこのメール情報または電話情報を表示する表示手段と、
キー操作入力により、前記音振動出力手段の動作時間を設定し、この動作時間を記憶する着信報知モード設定手段と、
メール着信時に、前記音振動出力手段に前記動作時間分の出力を指示し、前記表示手段にこのメール情報をスクロール表示させ、前記音振動出力手段の前記動作時間が終了してもこのメール情報の最後尾までのスクロール表示が終了していない場合は、このメール情報の最後尾までの表示が終了するまでスクロール表示を継続させる制御を行なう制御手段とを
具備することを特徴とする携帯端末。
【請求項２】
メール着信または電話着信時に音または振動で報知する音振動出力手段と、
メール着信または電話着信時にこのメール情報または電話情報を表示する表示手段と、
キー操作入力により、前記音振動出力手段の動作時間を設定し、この動作時間を記憶する着信報知モード設定手段と、
メール着信時に、前記音振動出力手段に前記動作時間分の出力を指示し、前記表示手段にこのメール情報をスクロール表示させ、前記音振動出力手段の前記動作時間が終了してもこのメール情報の最後尾までのスクロール表示が終了していない場合は、このメール情報の最後尾までの表示が終了するまで前記音振動出力手段の出力を延長させる制御を行なう制御手段とを
具備することを特徴とする携帯端末。
【請求項３】
前記制御手段は、
前記メール情報のスクロール表示を行なっている最中に第２のメール着信があった場合、前記表示手段に前記メール情報と第２のメール情報を連続してスクロール表示させることを特徴とする請求項１又は２に記載の携帯端末。
【請求項４】
前記制御手段は、
前記メール情報のスクロール表示を行なっている最中に電話着信があった場合、前記メール情報のスクロール表示を停止させて、電話着信に関する報知を前記音振動出力手段と前記表示手段に行わせることを特徴とする請求項１又は２に記載の携帯端末。
【請求項５】
前記制御手段は、
前記表示手段に前記メール情報の最後尾までのスクロール表示を１周または複数周回行なわせることを特徴とする請求項１又は２に記載の携帯端末。
【請求項６】
前記表示手段に表示される前記メール情報は、メールの差出人のメールアドレス、差出人名、メール件名、メール本文の内、どの情報を含むかが予めキー操作入力により設定されることを特徴とする請求項１又は２に記載の携帯端末。
【請求項７】
前記制御手段は、
電話着信時には、前記音振動出力手段に前記動作時間分の出力を指示し、前記表示手段に前記電話情報をスクロール表示させ、前記音振動出力手段の前記動作時間が終了したら前記電話情報のスクロール表示を終了させる制御を行なうことを特徴とする請求項１又は２に記載の携帯端末。
【発明の詳細な説明】
【技術分野】
【０００１】
本発明は、メール着信時および電話着信時に、着信鳴動および、着信したメール情報および電話情報の表示を行う携帯端末に関する。
【背景技術】
【０００２】
携帯電話等の携帯端末においては、メール着信時および電話着信時に、着信鳴動および、着信したメール情報および電話情報の表示が行われる。メールの着信鳴動時間については、ユーザが任意の鳴動時間を設定できる。表示されるメール情報として、差出人のメールアドレス、差出人名、メール件名、メール本文などの１乃至複数がある。
【０００３】
メール着信時、ユーザが折り畳み式の携帯端末をわざわざ開けることなく操作なしでも見られるように、折り畳んだ状態で見える比較的表示エリアの限られた副表示部に表示される。アドレス帳の差出人名が長い場合は、副表示部に一度に表示しきれないので、差出人名がスクロールされながら表示される。また、携帯端末を開けると主表示部やメイン部分がウェイクアップして消費電力が増えるので、携帯端末を開けずに副表示部で確認できることが望ましい。
【０００４】
携帯端末の制御部は、メール着信があると、メール着信鳴動を開始すると共に、着信したメールのヘッダー情報の差出人アドレスに対応するアドレス帳の差出人名を副表示部に表示し、その後、着信鳴動時間が経過すると、着信鳴動を停止し、それに連動して差出人名表示も消していた。したがって、メールの着信鳴動時間が短い場合で、かつ、アドレス帳の差出人名が長い場合など、副表示部のスクロール表示が途中であっても、すべて表示する前に表示が終了していた。
【０００５】
このようなメール着信時のスクロール表示を行なう携帯電話機とリモートコントローラがある（例えば、特許文献１参照。）。この特許文献１の携帯電話機とリモートコントローラでは、メール着信時、リモートコントローラの限られたエリアの液晶表示部に、発信者名をスクロール表示している。メール着信鳴動についての記載はない。
【特許文献１】特開２００４−１３４８４０号公報（段落［００３０］、図５）
【発明の開示】
【発明が解決しようとする課題】
【０００６】
従来の携帯端末では、ユーザがメールの着信鳴動時間を短く設定している場合で、かつ、アドレス帳の差出人名が長くユーザ設定されている場合など、ユーザがメール着信鳴動に気付いて、差出人名を見ようとした時に、長い差出人名のスクロール表示を全て確認できないで表示が終了してしまうという問題があった。
【０００７】
また、特許文献１の携帯電話機では、メール着信時の差出人名のスクロール表示の時間や、メール着信鳴動についての記載はない。
【０００８】
本発明は、ユーザ設定のメール着信鳴動時間に関わらず、メール着信時、メールの着信鳴動時間や差出人名のスクロール表示の時間を制御することにより、長い差出人名のスクロール表示を全て、ユーザが確認することができる携帯端末を提供することを目標とする。
【課題を解決するための手段】
【０００９】
上記目的を達成するために、本発明の携帯端末は、メール着信または電話着信時に音または振動で報知する音振動出力手段と、メール着信または電話着信時にこのメール情報を表示する表示手段と、キー操作入力により、メール着信時の前記音振動出力手段の動作時間を設定し、この動作時間を記憶する着信報知モード設定手段と、メール着信時に、前記音振動出力手段に前記動作時間分の出力を指示し、前記表示手段にこのメール情報をスクロール表示させ、前記音振動出力手段の前記動作時間が終了してもこのメール情報の最後尾までのスクロール表示が終了していない場合は、このメール情報の最後尾までの表示が終了するまでスクロール表示を継続させる制御を行なう制御手段とを具備することを特徴とする。
【発明の効果】
【００１０】
本発明によれば、ユーザ設定のメール着信鳴動時間に関わらず、メール着信時、長い差出人名のスクロール表示を確実にユーザが確認することができ、ユーザの利便性を高めることができる。
【発明を実施するための最良の形態】
【００１１】
図１は、本発明の各実施例に係る携帯端末の外観図および副表示部の説明図である。  
（Ａ）は折り畳み式の携帯端末１００を閉じた状態の外観図であり、上筐体５１と下筐体５２とがヒンジ５３で開閉自在につながり、上筐体５１には、副表示部１１が配置されている。副表示部１１は、携帯端末１００が閉じられた状態で、外部から見える配置である。図示しない主表示部は、上筐体５１の下筐体５２に対面する位置に配置されている。
【００１２】
（Ｂ）は副表示部１１の詳細図であり、ＬＥＤが７×７のドットマトリクス状に配置されたものである。この副表示部１１は極めて薄く作ることができる特徴があり、したがって、薄型形状の携帯端末１００を作ることができる。しかし、反面、７×７のドットマトリクス状であるため、同時に表示できる文字数は、せいぜい数文字であり、たくさんのメール情報や電話情報を同時に表示することはできず、スクロール表示する必要があり、また、スクロール表示時間も長くかかる。
【００１３】
図２は、本発明の各実施例に係る携帯端末のブロック図である。携帯端末１００は、アンテナ１、通信部２、送受信部３、通話部４、マイクロホン５、スピーカ６、筐体開閉検出部７、キー入力部８、表示制御部９、主表示部１０、副表示部１１、制御部１２、記憶部２０などから構成される。さらに、制御部１２は、アドレス帳設定部１３、着信報知モード設定部１４、着信受付部１５、着信報知制御部１６などを有する。記憶部２０は、アドレス帳２１、着信報知モード記憶部２２、メール受信ボックス２３、電話受信ボックス２４、着信種別フラグ２５、着信報知動作中フラグ２６などを有する。
【００１４】
アンテナ１は、基地局（図示せず）との間で電波の送受信を行う。通信部２は、アンテナ１が受信した高周波信号を送受信部３へ送信し、また、送受信部３から送信される高周波信号をアンテナ１より送信する。
【００１５】
送受信部３は、通信部２からの高周波信号を増幅、周波数変換及び復調し、それによって得られた音声データを通話部４へ送る。また、送受信部３は、メール着信および電話着信を検知し、メール着信信号および電話着信信号、着信したメールデータ、音声データなどを制御部１２に送る。更には、通話部４から送信されるディジタル音声信号、及び制御部１２から送信されるメールデータ等を変調、周波数変換及び増幅し、高周波信号を得て、それを通信部２に送る。
【００１６】
通話部４は、送受信部３から送信されるディジタル音声信号をアナログ音声信号に変換し、それを増幅してスピーカ６に送る。また、マイクロホン５から送信されるアナログ音声信号を増幅し、それをディジタル音声信号に変換して送受信部３に送信する。
【００１７】
マイクロホン５は、送話などの音声入力用である。スピーカ６は、受話音の出力用であり、また、メール着信時や電話着信時の着信音などの各種の報知出力用である。筐体開閉検出部７は、折り畳み式の携帯端末１００の筐体開閉の検出用であり、一方の筐体に設けられた磁石（図示せず）と他方の筐体に設けられた磁気センサ（図示せず）との近接検出により、筐体開閉を検出する。キー入力部８は、ユーザによる各種キー入力手段である。
【００１８】
表示制御部９は、制御部１２からの要求に基づいて主表示部１０および副表示部１１へのメールデータ、静止画、動画などの表示や、携帯端末１００の電波状態などの通知情報の表示を制御する。
【００１９】
主表示部１０は、携帯端末１００の上下筐体が折り畳まれて対面する側に設けられる表示エリアの広い表示部であり、折り畳まれた状態では、ユーザは見ることができない。副表示部１１は、携帯端末１００の上下筐体が折り畳まれた状態で外面に設けられる表示エリアの比較的狭い表示部であり、折り畳まれた状態でも、ユーザは見ることができる。
【００２０】
通常、ユーザは、携帯端末１００を折り畳んだ状態で携行するので、メール着信などがあった場合、折り畳んだ状態のままで、ユーザが何の操作もなしでメール情報を見ることができるように、副表示部１１に着信したメール情報が表示される。また、折り畳んだ状態のままであれば、省電力にもなる。
【００２１】
制御部１２は、図示しないＣＰＵ、ＲＯＭ、ＲＡＭなどから構成され、ＲＯＭに記憶されているソフトウェアに基づいて様々な機能を実行する。このソフトウェアに基づく処理部分が、アドレス帳設定部１３、着信報知モード設定部１４、着信受付部１５、着信報知制御部１６である。
【００２２】
アドレス帳設定部１３は、ユーザ操作によるキー入力部８の信号に基づいて、予め、通信相手のメールアドレス、差出人名等をアドレス帳２１に記録する。
【００２３】
着信報知モード設定部１４は、ユーザ操作によるキー入力部８の信号に基づいて、予め、メール着信時および電話着信時のそれぞれの報知手段として、着信音出力か、図示しないバイブレータによる振動出力かを選択し、また、この出力時間の継続時間、例えば、「５秒間」などを、着信報知モード記憶部２２に記録する。
【００２４】
アドレス帳設定部１３および着信報知モード設定部１４の処理は、従来行われている処理であり、その動作フローチャートは省略する。
【００２５】
着信受付部１５は、送受信部３からの着信信号で起動し、着信がメールか電話であるかを送受信部３からの信号で判別し、メールであればメール受信ボックス２３に記録し、電話であればその差出人の電話番号が分かる場合は、電話受信ボックス２４に記録する。また、着信受付部１５は、着信報知制御部１６を起動して、着信音、着信振動、着信スクロール表示などの着信報知を起動させる。これらの処理はごく短時間で終わる。
【００２６】
着信報知制御部１６は、起動すると、着信音、着信振動などを所定時間行うと共に、表示情報の最後尾までの着信スクロール表示を行なう。したがって、処理時間は、例えば数秒、１０秒などの時間を要する。
【００２７】
メール着信や電話着信が長い間隔で散発的に発生する場合は、着信スクロール表示はすでに完了している場合であり、その場合、着信受付部１５が着信報知制御部１６を起動して両者は同期して動作することになる。
【００２８】
一方、着信報知制御部１６が起動されて着信スクロール表示を継続している最中に、次の第２の着信が非同期で発生した場合は、着信受付部１５は、着信報知制御部１６を再起動することなく、着信報知制御部１６は、内部処理でフラグを判断して、第２の着信に対応する処理を行なう。
【００２９】
この着信受付部１５と着信報知制御部１６間でやり取りする各種フラグ等について、次に説明する。  
図３は、本発明の各実施例に係る携帯端末の着信受付部１５と着信報知制御部１６間でやり取りする各種フラグ等を説明する図である。  
（Ａ）は、メール受信ボックス２３であり、通常の受信メールを格納する受信メール２３ｂ欄と、受信した各メール毎に着信報知を指示するための報知コマンド２３ａ欄がある。着信受付部１５は、メール着信があると、受信したメール情報を受信メール２３ｂ欄に格納すると共に、そのメールの報知コマンド２３ａ欄を「オン」にする。着信報知制御部１６は、報知コマンド２３ａ欄をチェックして、「オン」状態の受信メール情報をスクロール表示し、終了時点で、報知コマンド２３ａ欄を「オフ」にする。
【００３０】
（Ａ）の状態は、メールＡの着信スクロール表示は終了し、メールＢとメールＣが続けて着信して、両者の着信スクロール表示の開始待ち、または、着信スクロール表示の最中であることを意味する。
【００３１】
（Ｂ）は、着信種別フラグ２５であり、着信受付部１５は、着信があると、メールか電話かを判断して、着信種別フラグ２５に「メール」または「電話」として記録する。着信報知制御部１６は、この着信種別フラグ２５をチェックして、メールまたは電話に対応し報知を行う。
【００３２】
（Ｃ）は、着信報知動作中フラグ２６であり、着信報知制御部１６は、起動された直後にこのフラグを「動作中」にし、着信スクロール表示の終了時に「動作終了」にする。すなわち、着信報知制御部１６が起動中かどうかを表す。着信受付部１５は、着信があっても、着信報知動作中フラグ２６が「動作中」であれば、着信報知制御部１６を起動しない。
【００３３】
次に、この着信受付部１５の着信受付時の処理動作について説明する。  
図４は、本発明の各実施例に係る携帯端末の着信受付部１５の動作フローチャートである。着信受付部１５は、送受信部３からの着信信号で起動し、着信受付処理に入る（ステップＳ１）。まず、送受信部３からの着信信号により着信の種別を判断する（ステップＳ２）。それがメールであれば着信種別フラグ２５を「メール」にする（ステップＳ３）。そして、メール受信ボックス２３ｂに、受信したメールを順番に保管する（ステップＳ４）。そして、そのメールの報知コマンド２３ａを「オン」にする（ステップＳ５）。
【００３４】
ステップＳ２において、送受信部３からの着信信号が電話であった場合、着信種別フラグ２５を「電話」にする（ステップＳ８）。そして、着信電話の発信者電話番号がわかれば、電話受信ボックス２４に保管する（ステップＳ９）。
【００３５】
ステップＳ５、Ｓ９に引き続いて、着信報知制御部１６が起動中かどうかを、着信報知動作中フラグ２６でチェックし（ステップＳ６）、「動作終了」なら着信報知制御部１６を起動して（ステップＳ７）、終了する。「動作中」なら着信報知制御部１６の起動（ステップＳ７）をパスして終了する。
【実施例１】
【００３６】
図５は、本発明の実施例１に係る携帯端末１００の着信報知制御部１６の動作フローチャートである。  
「メール着信が１個散発した場合」
メール着信があり、図４の着信受付部１５の処理を経て、着信報知制御部１６が起動し、着信報知処理に入る（ステップＳ２０）。着信報知制御部１６は、まず、自身が起動中であることを示す着信報知動作中フラグ２６を「動作中」にする(ステップＳ２１)。そして、着信種別フラグ２５をチェックし（ステップＳ２２）、「メール」なので、メール着信音（又はバイブ）を開始し、着信音タイマーを開始する（ステップＳ２３）。
【００３７】
次に、ループ内で、着信種別フラグ２５をチェックする（ステップＳ２４）。これは、ループ内のスクロール表示処理などの継続中に、電話着信があった場合に、電話着信報知（ステップＳ４０以降）へ移行するためのものである。
【００３８】
メール着信が１個散発した場合は、ステップＳ２４は「メール」であり、報知コマンド２３ａがオンの受信メールも１個であり、それを副表示部１１にスクロール表示する（ステップＳ２５）。
【００３９】
次に、スクロール表示を継続しながら、着信音タイマーが、設定継続時間が経過したかをチェックする（ステップＳ２６）。設定継続時間内であれば、ステップＳ２４へ戻り、ループを繰り返す。設定継続時間が経過すると、メール着信音（又はバイブ）を停止する（ステップＳ２７）。
【００４０】
次に、メール着信音は停止したが、スクロール表示がまだ最後尾データまで表示したかをチェックし（ステップＳ２８）、まだ表示し終わっていなければ、再び、ステップＳ２４へ戻り、ループを繰り返す。スクロール表示の最後尾データまでの表示が終わると、報知コマンド２３ａをオフにする（ステップＳ２９）。
【００４１】
そして、着信報知制御部１６自身の処理が終わったことを示すために、着信報知動作中フラグ２６を「動作終了」にして（ステップＳ３０）、着信報知制御部１６の処理を終了する。
【００４２】
「メールのスクロール表示の最中に次のメール着信が連続した場合」
次の第２のメール着信があると、図４の着信受付部１５は、その受信メールの報知コマンド２３ａを「オン」にし、図３（Ａ）の例のように、最初のメールＢと次の第２のメールＣの報知コマンド２３ａがオンになった状態となる。また、着信受付部１５は、着信報知制御部１６が起動中であるため、着信報知制御部１６の再起動を行わない。
【００４３】
したがって、着信報知制御部１６は、スクロール表示のループの中のステップＳ２５において、最初は、メールＢの報知コマンド２３ａのみがオン状態であることを認識してメールＢのスクロール表示を行っているが、次の第２のメールＣの着信があると、メールＢとメールＣを順番にスクロール表示することになる。
【００４４】
「メールのスクロール表示の最中に電話着信があった場合」
電話着信の場合は、メールのように受信した内容を後で見ることができないために、電話着信の報知を優先させるものである。図４の着信受付部１５は、着信種別フラグを「電話」にする。また、着信受付部１５は、着信報知制御部１６が起動中であるため、着信報知制御部１６の再起動を行わない。
【００４５】
したがって、着信報知制御部１６は、スクロール表示のループの中のステップＳ２４において、着信種別フラグの「電話」を認識して、電話着信報知（ステップＳ４０以降）へ進む。まず、メール着信報知関連を解除する(ステップＳ４０)。そして、電話着信音（又はバイブ）を開始し、着信音タイマーを開始する（ステップＳ４１）。
【００４６】
そして、電話受信ボックス２４に発信者電話番号があれば、それ又は、その電話番号に該当するアドレス帳２１の差出人名を副表示部１１にスクロール表示し（ステップＳ４２）、着信音タイマーが設定継続時間を経過したかをチェックし（ステップＳ４３）、経過したら、電話着信音（又はバイブ）を停止し、スクロール表示を解除する(ステップＳ４４)。
【００４７】
そして、着信報知制御部１６自身の処理が終わったことを示すために、着信報知動作中フラグ２６を「動作終了」にして（ステップＳ３０）、着信報知制御部１６の処理を終了する。
【００４８】
ステップＳ４３の着信音タイマーの設定継続時間内に、ユーザが通話ボタンを押下すると、通話機能（図示しない）を起動し（ステップＳ４５）、ステップＳ３０を経て、着信報知制御部１６の処理を終了する。
【００４９】
「電話着信が１個散発した場合」
その場合は、ステップＳ２２の着信種別フラグ２５が「電話」として認識され、電話着信報知（ステップＳ４０以降）へ進む。
【００５０】
なお、ステップＳ２５のスクロール表示するメール情報は、メールアドレス、差出人名（アドレス帳２１から検索）、件名、本文の１乃至複数であるが、これらのどの情報を表示するかを、予めユーザ設定できるようにしてもよい。
【００５１】
また、メール情報の最後尾データまでスクロール表示したが、これを１乃至複数回繰り返して、ユーザの見落としをさらに減らせるようにしてもよい。
【００５２】
また、複数のメール件数の表示を行う場合、各メール情報を連続してスクロール表示するのではなく、Ａさん２件とか、Ａさん１件Ｂさん１件などと、差出人名と件数をスクロール表示するようにしてもよい。
【００５３】
また、複数のメール件数の表示を行う場合、各メール情報の色を変えて、スクロール表示するようにしてもよい。
【００５４】
実施例１によれば、ユーザが予め設定した着信報知の継続時間が終わって着信報知が終わった後も、メール情報の最後尾データまで副表示部へのスクロール表示を継続するので、ユーザは、携帯端末１００の筐体を開いたり、他のスイッチ操作を行うことなく、着信したメール情報の副表示部での確認を見落とすことが少なくすることができる。
【実施例２】
【００５５】
図６は、本発明の実施例２に係る携帯端末１００の着信報知制御部１６の動作フローチャートである。実施例１との相違点を主に説明する。実施例１（図５）では、ユーザ設定の着信報知の継続時間が終わったら着信報知を停止していたが、実施例２では、ユーザ設定の着信報知の継続時間が終わっても着信報知を停止せずに、スクロール表示が終了するまで着信報知を延長する。
【００５６】
動作フローチャートの相違する部分は、スクロール表示のループ部分のステップＳ５０、Ｓ５１、Ｓ５２である。ステップＳ２３において、メール着信音（又はバイブ）を開始し、着信音タイマーを開始するが、ステップＳ５０において、着信音タイマーはノーチェックである。すなわち、着信音タイマーが設定継続時間を経過しても、その時点では、メール着信音を停止しない。
【００５７】
そして、スクロール表示が表示項目の最後尾データまで表示し終わった時点（ステップＳ５１）で、メール着信音（又はバイブ）を停止する（ステップＳ５２）。
【００５８】
この動作フローチャートでは、着信音の説明のために、ステップＳ２３で着信音タイマーを開始し、ステップＳ５０で着信音タイマーはノーチェックと記載したが、この両部分は動作上は不要である。
【００５９】
実施例２によれば、ユーザが予め設定した着信報知の継続時間が終わっても、メール情報の最後尾データまで副表示部へのスクロール表示が終了するまで着信報知を続けるので、ユーザは、携帯端末１００の筐体を開いたり、他のスイッチ操作を行うことなく、着信したメール情報の副表示部での確認を見落とすことが少なくすることができる。
【図面の簡単な説明】
【００６０】
【図１】本発明の各実施例に係る携帯端末の外観図および副表示部の説明図。
【図２】本発明の各実施例に係る携帯端末のブロック図。
【図３】本発明の各実施例に係る携帯端末の着信受付部１５と着信報知制御部１６間でやり取りする各種フラグ等を説明する図。
【図４】本発明の各実施例に係る携帯端末の着信受付部１５の動作フローチャート。
【図５】本発明の実施例１に係る携帯端末１００の着信報知制御部１６の動作フローチャート。
【図６】本発明の実施例２に係る携帯端末１００の着信報知制御部１６の動作フローチャート。
【符号の説明】
【００６１】
１  アンテナ
２  通信部
３  送受信部
４  通話部
５  マイクロホン
６  スピーカ
７  筐体開閉検出部
８  キー入力部
９  表示制御部
１０  主表示部
１１  副表示部
１２  制御部
１３  アドレス帳設定部
１４  着信報知モード設定部
１５  メール受付部
１６  着信報知制御部
２０  記憶部
２１  アドレス帳
２２  着信報知モード記憶部
２３  メール受信ボックス
２３ａ  報知コマンド
２３ｂ  受信メール
２４  電話受信ボックス
２５  着信種別フラグ
２６  着信報知動作中フラグ
５１  上筐体
５２  下筐体
５３  ヒンジ
１００  携帯端末
【図１】
0005050898.tif 000002
【図２】
0005050898.tif 000003
【図３】
0005050898.tif 000004
【図４】
0005050898.tif 000005
【図５】
0005050898.tif 000006
【図６】
0005050898.tif 000007